(57)【要約】【課題】観察者に応じて容易に乱視矯正レンズを交換でき且つ交換した際に乱視矯正レンズを正しい向きにすることができる手術顕微鏡の接眼部構造を提供する。【解決手段】個人専用の乱視矯正レンズ１３を有するホルダー１２をアイカップ３のポケット部１６内に出し入れ自在なため、観察者は個人専用のホルダー１２を手術顕微鏡１を使用する際にポケット部１６に入れるだけで済む。別の観察者が手術顕微鏡を使用する場合は、自分専用の別のホルダーに交換すれば良い。【選択図】図１
2018205372.tif 000002
【特許請求の範囲】
【請求項１】
手術顕微鏡に設けられている左右一対の接眼部の内部に、該接眼部の観察者側から、筒状のアイカップが挿入されている手術顕微鏡の接眼部構造であって、
前記アイカップは接眼部の光軸を中心した回転方向において非回転を維持したまま光軸方向ではスライド自在に接眼部に挿入され、
該アイカップの接眼部に収納されない範囲に上方が開口したポケット部を形成し、該ポケット部内に視矯正レンズを保持したホルダーがポケット部の上部から出し入れ自在に収納され、収納された状態で乱視矯正レンズが正規の向きとなることを特徴とする手術顕微鏡用の接眼部構造。
【請求項２】
ポケット部が、一方の内面のみにポケット部に相応する形状の切欠部が形成された２つのリング状フランジを合わせて形成されていることを特徴とする請求項１記載の手術顕微鏡用の接眼部構造。
【請求項３】
ホルダーの上部に収納時にポケット部よりも上方に突出する頭部が形成されていることを特徴とする請求項１又は請求項２記載の手術顕微鏡用の接眼部構造。
【発明の詳細な説明】
【技術分野】
【０００１】
本発明は手術顕微鏡の接眼部構造に関するものである。
【背景技術】
【０００２】
手術顕微鏡は術部を立体的に観察するために左右一対の接眼部を備えている。接眼部の内部には内筒状のアイカップが接眼部の光軸方向に沿ってスライド自在に挿入されている。アイカップの内部には観察者の個人的な視力に応じて視度調整するための視度調整レンズが設けられており、アイカップのスライド位置を変更することにより観察者に合った視度に調整できるようになっている。
【０００３】
最近では観察者（ドクター）がメガネを外して手術が行えるように、視度調整レンズに加えて接眼部にドクター個人用の乱視矯正レンズを追加したい要請があり、乱視矯正レンズも追加可能にした接眼部が提案されている（例えば、特許文献１参照）。
【先行技術文献】
【特許文献】
【０００４】
【特許文献１】特開２０１０−４９１１１号公報
【発明の概要】
【発明が解決しようとする課題】
【０００５】
しかしながら、接眼部に内蔵する視度調整レンズはスライド位置を変更するだけで、あらゆる観察者の瞳に対して視度調整を行うことができるが、乱視矯正レンズの特性は個人それぞれで異なり、１つの乱視矯正レンズはその観察者個人にか使用できない。しかも乱視矯正レンズには回転方向で指向性があり、間違った向きで使用されると乱視矯正レンズとしての機能が損なわれる。
【０００６】
そのため、乱視矯正レンズを追加した接眼部にしても、観察者が変わるごとに乱視矯正レンズを交換しなければならず、交換作業が困難である。また交換した際に乱視矯正レンズが正しい向きでなけれならず、更にその交換作業の困難さを高めている。
【０００７】
本発明は、このような関連技術に着目してなされたものであり、観察者に応じて容易に乱視矯正レンズを交換でき且つ交換した際に乱視矯正レンズを正しい向きに配置することができる手術顕微鏡の接眼部構造を提供することを目的としている。
【課題を解決するための手段】
【０００８】
本発明の第１の技術的側面によれば、手術顕微鏡に設けられている左右一対の接眼部の内部に、該接眼部の観察者側から、筒状のアイカップが挿入されている手術顕微鏡の接眼部構造であって、前記アイカップは接眼部の光軸を中心した回転方向において非回転を維持したまま光軸方向ではスライド自在に接眼部に挿入され、該アイカップの接眼部に収納されない範囲に上方が開口したポケット部を形成し、該ポケット部内に視矯正レンズを保持したホルダーがポケット部の上部から出し入れ自在に収納され、収納された状態で乱視矯正レンズが正規の向きとなることを特徴とする。
【０００９】
本発明の第２の技術的側面によれば、ポケット部が、一方の内面のみにポケット部に相応する形状の切欠部が形成された２つのリング状フランジを合わせて形成されていることを特徴とする。
【００１０】
本発明の第３の技術的側面によれば、ホルダーの上部に収納時にポケット部よりも上方に突出する頭部が形成されていることを特徴とする。
【発明の効果】
【００１１】
本発明の第１の技術的側面によれば、個人専用の乱視矯正レンズがホルダーに保持され、そのホルダーをアイカップのポケット部内に出し入れ自在なため、観察者は個人専用のホルダーを手術顕微鏡を使用する際にポケット部内に入れるだけで済む。別の観察者が手術顕微鏡を使用する場合は、ポケット部内のホルダーを取り出して、自分専用の別のホルダーに交換すれば良い。ホルダーに保持された乱視矯正レンズはホルダーがポケット部内に収納された状態で正規の向きとなるため、乱視矯正レンズの機能が損なわれることがない。
【００１２】
本発明の第２の技術的側面によれば、２つのリング状フランジによりポケット部を形成することができるため、最小の部品点数でアイカップにポケット部を形成することができる。
【００１３】
本発明の第３の技術的側面によれば、ホルダーに頭部が形成されているため、観察者は頭部を指で掴むことによりホルダーをポケット部内に出し入れすることができる。
【図面の簡単な説明】
【００１４】
【図１】手術顕微鏡を示す斜視図。
【図２】接眼部を示す断面図。
【図３】ホルダーを外した状態を示す接眼部の断面図。
【図４】端末部の分解断面図。
【図５】組み付けた２つのリング状フランジとホルダーを示す斜視図。
【図６】分解した２つのリング状フランジとホルダーを示す斜視図。
【発明を実施するための形態】
【００１５】
図１〜図６は本発明の好適な実施形態を示す図である。
【００１６】
手術顕微鏡１は左右に２つの接眼部２を有している。各接眼部２は円筒形状で、その観察者Ｍ側にはアイカップ３が接眼部２の光軸Ｋの方向に沿ってスライド自在に挿入されている。アイカップ３も基本的に円筒形状で、接眼部２内に挿入される本体部４と、その本体部４の観察者Ｍ側に取付けられる端末部５とから構成されている。
【００１７】
接眼部２の内面には光軸Ｋ（図２参照）の方向に沿ってストレート溝６が形成されており、本体部４の外面にはそのストレート溝６内に沿って移動するピン７が固定されている。従って、本体部４は光軸Ｋの方向に沿ってスライド可能だが、ストレート溝６とピン７との係合により光軸Ｋを中心とした回転方向では非回転である。
【００１８】
本体部４の内部には視度調整レンズ８が内蔵されている。観察者Ｍが本体部４を光軸Ｋの方向にスライドさせて調整することにより、視度を観察者Ｍの瞳に合致させることができる。
【００１９】
端末部５は３つのリング状のフランジ９、１０、１１から構成され、該端末部５にはホルダー１２が設けられている。ホルダー１２は下部に円形の乱視矯正レンズ１３が保持されている。乱視矯正レンズ１３は周囲がリングストッパ１４によりホルダー１２に対して固定されている。ホルダー１２の下端は乱視矯正レンズ１３に相応する円弧形状をしている。ホルダー１２の上部は端末部５に相応した円弧形状をした頭部１５となっている。ホルダー１２の側端は直線状に形成されている。
【００２０】
端末部５には上方が開口したポケット部１６が形成されている。ポケット部１６にはホルダー１２を上部から挿入自在で、挿入された状態でホルダー１２は頭部１５だけ端末部５から上方へ突出するようになっている。
【００２１】
ポケット部１６は２つのフランジ１０、１１を合わせて形成される。一方のフランジ１１の内面にはホルダー１２に相応する形状の切欠部１７が形成され、２つのフランジ１０、１１をピン１８で結合することにより、その間にポケット部１６が形成される。結合されたフランジ１０、１１は本体部４に螺合され、最も観察者Ｍ側にはフランジ９が螺合される。フランジ９の周囲にはラバー１９が設けられている。ラバー１９は観察者Ｍの目を当てた時の感触を良くすると共に、観察者Ｍの目の回りを遮光する機能も有する。
【００２２】
以上のようにアイカップ３の常に接眼部２から露出する部分の端末部５には上方が開口したポケット部１６が形成されており、そこに乱視矯正レンズ１３を有するホルダー１２を挿入可能なため、観察者Ｍは個人専用の特性を有する乱視矯正レンズ１３を保持したホルダー１２を用意しておき、手術顕微鏡１を使用する場合はその直前にホルダー１２をポケット部１６に挿入すれば、観察者Ｍはメガネを外した状態で手術することができ、手術の効率を高めることができる。ホルダー１２をポケット部１６に挿入する動作も、ホルダー１２の上方に形成された頭部１５を手で持って操作できるため容易である。
【００２３】
ホルダー１２はポケット部１６内に挿入されることにより、ポケット部１６に規制されて姿勢（向き）が決まるが、そのホルダー１２の向きで乱視矯正レンズ１３が正しく機能するように、乱視矯正レンズ１３を最初にリングストッパ１４によりホルダー１２に取付ける際に、図示せぬマーカーを基準として正しく取付けられる。
【００２４】
ホルダー１２をポケット部１６から取り出す場合には、頭部１５を手で持って引き上げることで容易に取り出すことができる。別の観察者Ｍが手術顕微鏡１を使用する場合は、その観察者Ｍに合致した専用の乱視矯正レンズを内蔵した別の端末部を前記と同じ要領で取付ければ良い。
【符号の説明】
【００２５】
１  手術顕微鏡
２  接眼部
３  アイカップ
４  本体部
５  端末部
８  視度調整レンズ
１０、１１  フランジ
１２  ホルダー
１３  乱視矯正レンズ
１５  頭部
１６  ポケット部
１７  切欠部
Ｋ  光軸
Ｍ  観察者
【図１】
2018205372.tif 000003
【図２】
2018205372.tif 000004
【図３】
2018205372.tif 000005
【図４】
2018205372.tif 000006
【図５】
2018205372.tif 000007
【図６】
2018205372.tif 000008